(57)【要約】【課題】  従来の光伝送装置は、トランスポンダ部の増加や多機能化に伴い監視情報が増加すると、装置内の監視制御部が高負荷となり、監視制御装置への通知が適正に完了しないという問題があった。【解決手段】  この発明の光伝送装置は、光信号を送受信するトランスポンダ部を有し、当該トランスポンダ部の監視情報を監視制御装置へ送信する光伝送装置であって、前記監視制御装置からの要求に基づき、前記トランスポンダ部の監視情報として集約通知情報を送信する第１監視制御部、前記トランスポンダ部の一定期間の監視情報を集約して前記集約通知情報を生成し、生成した集約通知情報を前記第１監視制御部へ送信する第２監視制御部、前記トランスポンダ部を直接監視し、当該トランスポンダ部の監視情報を任意のタイミングで前記第２監視制御部へ送信する第３監視制御部を備える。【選択図】          図２
2014082719.tif 000002
【特許請求の範囲】
【請求項１】
光信号を送受信するトランスポンダ部を有し、当該トランスポンダ部の監視情報を監視制御装置へ送信する光伝送装置において、
前記監視制御装置からの要求に基づき、前記トランスポンダ部の監視情報として集約通知情報を送信する第１監視制御部、
前記トランスポンダ部の一定期間の監視情報を集約して前記集約通知情報を生成し、生成した集約通知情報を前記第１監視制御部へ送信する第２監視制御部、
前記トランスポンダ部を直接監視し、当該トランスポンダ部の監視情報を任意のタイミングで前記第２監視制御部へ送信する第３監視制御部
を備えることを特徴とする光伝送装置。
【請求項２】
前記第２監視制御部は、前記第３監視制御部から送信される監視情報の優先度を判断する優先度判定機能部を有し、この優先度判定機能部により優先度が高いと判断した高優先監視情報を、集約せずに第１監視制御部へ送信することを特徴とする請求項１に記載の光伝送装置。
【請求項３】
前記第１監視制御部は、前記第２監視制御部へ通知取得要求メッセージを送信する要求メッセージ制御機能部を有し、
前記第２監視制御部は、前記第１監視制御部からの前記通知取得要求メッセージに基づき、前記生成した集約通知情報を送信することを特徴とする請求項１に記載の光伝送装置。
【請求項４】
前記第２監視制御部は、前記第３監視制御部から送信される監視情報の優先度を判断する優先度判定機能部を有し、この優先度判定機能部により優先度が高いと判断した高優先監視情報を、前記通知取得要求メッセージにかかわらず第１監視制御部へ送信することを特徴とする請求項３に記載の光伝送装置。
【請求項５】
前記要求メッセージ制御機能部は、前記第２監視制御部から送信される集約通知情報の内容に基づき、前記第２監視制御部が前記集約通知情報を送信する時間間隔を決定し、この時間間隔に基づいて、前記通知取得要求メッセージを送信することを特徴とする請求項３に記載の光伝送装置。
【発明の詳細な説明】
【技術分野】
【０００１】
この発明は、光伝送システムにおける複数のトランスポンダシェルフを備える光伝送装置の監視制御に関するものである。
【背景技術】
【０００２】
従来の光伝送システムにおける光伝送装置の監視制御は、他の光伝送装置であるネットワークエレメント（NE）およびオペレーションシステム（OpS）とのインタフェースを有する装置内中央制御シェルフの監視制御部と、トランスポンダ機能部を有するトランスポンダシェルフの各監視制御部との2階層の構成で実行される。下位階層である複数のトランスポンダシェルフからの警報などの通知は、上位階層である装置内中央制御シェルフに集約される。OpSは、装置内中央制御シェルフから周期的に集約された警報などの通知を取得する。
【０００３】
各NEの監視制御は、2階層の構成で実行されているので、複数のトランスポンダシェルフからの通知が、全て装置内中央制御シェルフへ集約される。今後、OTN（Optical Transport Network）で想定される方路数（波長多重インタフェースで接続される対向NEとの接続数）の増加にともなって、トランスポンダシェルフ内のトランスポンダ基板が増加すると、１台のNEで管理する性能情報や警報が増加する。また、多機能化に伴い、基板種別が増加することで、新規の性能情報や警報種別が増加する。
【０００４】
このように、装置内中央制御シェルフへ集約される通知数が増加すると、装置内中央制御シェルフの監視制御部が高負荷となり、OpSが装置内中央制御シェルフから通知を取得する規定された周期時間内に、装置内中央制御シェルフの処理が完了しない恐れがある。この改善策として、光伝送装置内の複数のトランスポンダユニット（トランスポンダ基板）をメッシュ状に接続し、複数のトランスポンダユニットからの通知を特定のトランスポンダユニットに集約させ、当該特定のトランスポンダユニットが中央監視ユニット（装置内中央制御シェルフ）に通知するように構成したものがある（特許文献１参照）。
【先行技術文献】
【特許文献】
【０００５】
【特許文献１】特開２００９−１５９２９４号公報
【発明の概要】
【発明が解決しようとする課題】
【０００６】
以上のように、従来の各NEの監視制御は2階層の構成で実行されているので、トランスポンダシェルフ内のトランスポンダ基板の増加や多機能化に伴い、性能情報や警報種別が増加し、装置内中央制御シェルフへ集約される通知数が増加すると、装置内中央制御シェルフで規定された時間内で処理しきれない問題点があった。また、特許文献１の発明は、トランスポンダ基板同士をメッシュ状に接続しているため、トランスポンダ基板間のルーティングテーブルを保持しなければいけないという問題点があった。
【０００７】
本発明は、上述したような問題点を鑑みなされたものであり、メッシュネットワークのような監視すべきトランスポンダシェルフ（トランスポンダ部）数の多いシステムに適した装置内監視制御を実施する光伝送装置を提供することを目的とする。
【課題を解決するための手段】
【０００８】
本発明の光伝送装置は、光信号を送受信するトランスポンダ部を有し、当該トランスポンダ部の監視情報を監視制御装置へ送信する光伝送装置であって、前記監視制御装置からの要求に基づき、前記トランスポンダ部の監視情報として集約通知情報を送信する第１監視制御部、前記トランスポンダ部の一定期間の監視情報を集約して前記集約通知情報を生成し、生成した集約通知情報を前記第１監視制御部へ送信する第２監視制御部、前記トランスポンダ部を直接監視し、当該トランスポンダ部の監視情報を任意のタイミングで前記第２監視制御部へ送信する第３監視制御部を備える。
【発明の効果】
【０００９】
本発明の光伝送装置によれば、装置内のトランスポンダ部の監視制御の構成を、第１監視制御部、第２監視制御部、第３監視制御部と全３階層で構成し、第３監視制御部から任意のタイミングで送信される一定期間の監視情報を第２監視制御部で集約し、集約通知情報を第１監視制御部へ送信するようにしたので、第１監視制御部にかかる負荷を分散することができ、トランスポンダ部の監視情報を確実に監視制御装置へ送信できるという効果がある。
【図面の簡単な説明】
【００１０】
【図１】本発明の光伝送装置を含む光伝送システムを示す構成図である。
【図２】本発明の光伝送装置を示す構成図である。
【図３】本発明の実施の形態１による装置内中央制御メインシェルフ監視制御部を示す構成図である。
【図４】本発明の実施の形態１による装置内中央制御サブシェルフ監視制御部を示す構成図である。
【図５】本発明の実施の形態１によるトランスポンダシェルフ監視制御部を示す構成図である。
【図６】本発明の実施の形態１による光伝送装置におけるメッセージの流れを示すシーケンス図である。
【図７】本発明の実施の形態１による装置内中央制御サブシェルフ監視制御部の動作を示すフローチャートである。
【図８】本発明の実施の形態２による装置内中央制御サブシェルフ監視制御部を示す構成図である。
【図９】本発明の実施の形態２による光伝送装置におけるメッセージの流れを示すシーケンス図である。
【図１０】本発明の実施の形態２による装置内中央制御サブシェルフ監視制御部の動作を示すフローチャートである。
【図１１】本発明の実施の形態３による装置内中央制御メインシェルフ監視制御部を示す構成図である。
【図１２】本発明の実施の形態３による装置内中央制御メインシェルフ監視制御部の動作を示すフローチャートである。
【発明を実施するための形態】
【００１１】
実施の形態１．
以下、この発明の実施の形態１を図に基づいて説明する。図１は、本発明の光伝送装置を含む光伝送システムの全体構成図を示す。本光伝送システムは、監視制御装置（オペレーションシステム：Ops）１と光伝送装置（ネットワークエレメント：NE）２を含み構成される。複数の光伝送装置２がメッシュ状（例えば、１台の光伝送装置２が、３台の他の光伝送装置２と接続される状態）に接続され、各光伝送装置間で通信を行う。監視制御装置１は、回線３を介して、光伝送装置２と電文の授受を行うことで、光伝送装置２の監視制御を行う。
【００１２】
図２は、光伝送装置２内部の装置内監視制御にかかる構成図である。光伝送装置２は、装置内中央制御メインシェルフ４、装置内中央制御サブシェルフ５、及びトランスポンダシェルフ６を備える。シェルフとは、１つの監視制御部が直接監視制御できる単位である。光伝送装置２内の各シェルフは、装置内中央制御メインシェルフ４を最上位シェルフとした３階層のツリー構成で接続される。具体的には、１台の装置内中央制御メインシェルフ３に複数台（図２では、３台）の装置内中央制御サブシェルフ接続され、１台の装置内中央制御サブシェルフ５に複数台（図２では、３台）のトランスポンダシェルフ６が接続される。各シェルフ間の監視制御は、ＴＣＰによる通信で行う。
【００１３】
１台のトランスポンダシェルフ６のトランスポンダ部で扱える光信号の波長数には、限りがある。図１に示す光伝送システムのように、光伝送装置２同士をメッシュ状に接続して方路数を増設した場合、各光伝送路装置２で扱う光信号の波長が増加するため、多くのトランスポンダシェルフ６が必要となる。
【００１４】
装置内中央制御メインシェルフ４は、第１監視制御部である監視制御部７、光増幅部８、光クロスコネクト（OXC）部９を備えるシェルフである。装置内中央制御サブシェルフ５は、第２監視制御部である監視制御部１０、光増幅部８、光クロスコネクト部９を備えるシェルフである。監視制御部７は、装置内中央制御メインシェルフ４を、監視制御部１０は、装置内中央制御サブシェルフ５を、それぞれ直接制御監視する機能を有する。光増幅部８は、シェルフ内で送受信する光信号の光増幅を行う。光クロスコネクト部９は、光ファイバから入力された光信号を別の光ファイバに出力する。
【００１５】
光伝送システムにおいて、装置内中央制御メインシェルフ４は、監視制御装置１と接続され、また、装置内中央制御メインシェルフ４と装置内中央制御サブシェルフ５は、隣接する光伝送装置１４とそれぞれ接続され、主信号、及び監視制御信号の通信を行う。
【００１６】
トランスポンダシェルフ６は、第３監視制御部である監視制御部１１、光合分波部１２、トランスポンダ部１３を備えるシェルフである。監視制御部１１は、トランスポンダシェルフ６（トランスポンダ部１３を含む）を直接制御監視する機能を有する。光合分波部１２は、送信時に波長の異なる複数の光信号を合波し、受信時に波長の異なる複数の光信号へ波長ごとの分波を行う。トランスポンダ部１３は、外部クライアント装置からの光信号を多重化し、任意の波長の光信号へ総合変換を行うことで、光信号の送受信を行う。
【００１７】
図３は、装置内中央制御メインシェルフ４における監視制御部７の構成を示す図である。監視制御部７は、Ops-NE間通信制御機能部１６、シェルフ間通信制御機能部１７、NE間通信制御機能部１８、装置制御機能部１９、メッセージ制御部２０を含み構成される。Ops-NE間通信制御機能部１６は、自装置内中央制御メインシェルフ４と、光伝送システム内の監視制御装置１との通信の制御を行う。シェルフ間通信制御機能部１７は、自装置内中央制御メインシェルフ４と自光伝送装置２内の他シェルフ（装置内中央制御サブシェルフ５、トランスポンダシェルフ６）との通信の制御を行う。NE間通信制御機能部１８は、光伝送システム内で隣接する光伝送装置１４と制御情報に関する通信の制御を行う。装置制御機能部１９は、自シェルフ内の光増幅部８およびOXC部９の状態管理、各機能部への作業の振り分けを行う。メッセージ制御機能部２０は、通知の発行、集約を行う。
【００１８】
図４は、装置内中央制御サブシェルフ５における監視制御部１０の構成を示す図である。装置内中央制御サブシェルフ５は、直接的に監視制御装置１との通信を行わないため、Ops-NE間通信制御機能部を必要としない。その他の構成については、図３に示す装置内中央制御メインシェルフ４の監視制御部７と同様である。
【００１９】
図５は、トランスポンダシェルフ６における監視制御部１１の構成を示す図である。トランスポンダシェルフ６は、直接的に他の光伝送装置２との通信を行わないため、NE間通信制御機能部を必要としない。また、装置制御機能部２６は、自シェルフ内の光合波部１１およびトランスポンダ部１２の状態管理、各機能部への作業の振り分けを行う。その他の構成については、図４に示す装置内中央制御サブシェルフ５の監視制御部１０と同様である。
【００２０】
次に動作について説明する。図６は、実施の形態１の装置内監視制御を示すシーケンス図である。図７は、前記装置内監視制御における装置内中央制御サブシェルフ５の監視制御部１０の動作を示したフローチャートを示す。
【００２１】
図６において、トランスポンダシェルフ６の監視制御部１１は、装置制御機能部２６の判断した自シェルフ（トランスポンダ部を含む）の状態に基づいて、メッセージ制御機能部２５により、自シェルフの状態に関する通知（トランスポンダ部の監視情報）ｐ１を発行し、シェルフ間通信制御機能部２２により、当該通知ｐ１を装置内中央制御サブシェルフ５へ送信する。通知ｐ１は、１台の装置内中央制御サブシェルフ５に対し、接続される複数のトランスポンダシェルフ６から、当該トランスポンダシェルフの状態の判断結果に基づき、任意のタイミングで送信される。
【００２２】
装置内中央制御サブシェルフ５は、トランスポンダシェルフ６から通知ｐ１を受信すると、そのまま装置内中央制御メインシェルフ４へ送信することはせずに、通知情報として自シェルフ内に格納する。そして、装置内中央制御メインシェルフ４からの通知要求メッセージｐ２を受信すると、格納した一定期間の通知ｐ１を集約した集約通知情報である応答メッセージｐ３を、装置内中央制御メインシェルフ４へ送信する。
【００２３】
この装置内中央制御サブシェルフ５の動作の詳細を、図７を参照し説明する。図７において、装置内中央制御サブシェルフ５の監視制御部１０は、シェルフ間通信制御機能部２２により通知ｐ１を受信すると（ステップＳ７１のＹｅｓ）、受信した通知ｐ１を通知情報としてメッセージ制御機能部２５へ格納する（ステップＳ７２）。トランスポンダ６から通知を受信していない場合は（ステップＳ７１のＮｏ）、ステップＳ７２の処理は行わない。次に、シェルフ間通信制御機能部２２により、装置内中央制御メインシェルフ４から通知取得要求メッセージｐ２を受け取ると（ステップＳ７１のＹｅｓ）、メッセージ制御機能部２５により、保持している一定期間の通知情報から集約通知情報を生成し、この集約通知情報に自シェルフＩＤを設定する（ステップＳ７４）。前記集約通知情報の生成後、メッセージ制御機能部２５は、集約通知情報の生成に使用した通知情報を削除する（ステップＳ７５）。生成された集約通知情報は、シェルフ間通信制御機能部２２が、応答メッセージｐ３として装置内中央制御メインシェルフ４へ送信する（ステップＳ７６）。
【００２４】
図６に戻り、装置内中央制御メインシェルフ４の監視制御部７は、メッセージ制御部２５により、通知取得要求メッセージｐ２を発行し、シェルフ間通信制御機能部２２により、自シェルフに接続される複数の装置内中央制御サブシェルフ５に対して、当該通知取得要求メッセージｐ２を周期的に送信する。また、シェルフ間通信制御機能部２２により、前記通知取得要求メッセージｐ２に応答した応答メッセージｐ３（集約通知情報）を、装置内中央制御サブシェルフ５から受信して、集約通知情報をメッセージ制御機能部２５へ格納する。
【００２５】
受信した集約通知情報の中に、他のシェルフへの連絡の必要な波及警報の要因となる原因警報がある場合、装置内中央制御メインシェルフ４は、下位シェルフである自シェルフに接続された複数の装置内中央制御サブシェルフ５に対して、波及警報ｐ４を通知する。
【００２６】
監視制御装置１は、監視情報の取得のために設定されている周期間隔で、自装置の監視対象である光伝送装置２へ取得要求メッセージｐ５を送信する。光伝送装置２では、装置内中央制御メインシェルフ４の監視制御部７が、Ops-NE間通信制御機能部２１により、監視制御装置１からの通知取得要求メッセージｐ５を受信する。そして、メッセージ制御機能部２５により、保持する装置内中央制御サブシェルフ５からの集約通知情報に自シェルフのシェルフＩＤを設定し、応答メッセージｐ６として監視制御装置１へ送信する。
【００２７】
上記のように、実施の形態１の光伝送装置２は、装置内中央制御サブシェルフ５が、トランスポンダシェルフ６からの不規則な（任意のタイミングで送信される）通知を集約するので、装置内中央制御メインシェルフ４が、周期的などの決まったタイミングで通知を取得できる。装置内中央制御メインシェルフ４が、複数のトランスポンダシェルフ６から不規則に通知を受信することがないので、監視制御部７の処理負荷を一定に保つことができ、監視制御装置１の情報取得タイミングに処理が間に合わないといった不具合を回避できる。また、トランスポンダシェルフ６は、装置内中央制御サブシェルフ５に対して、任意のタイミングで通知をすればよく、監視制御が複雑になることがない。また、光伝送装置２内の構成をツリー状に接続することで、装置内中央制御メインシェルフ４が管理するＴＣＰセッション（通信）数を削減でき、負荷を低減できる。
【００２８】
実施の形態２．
以下、この発明の実施の形態２を図に基づいて説明する。本発明の光伝送装置を含む光伝送システムの全体構成は、実施の形態１の図１で示す構成と同様であり、また、光伝送装置内における装置内中央制御メインシェルフ、装置内中央制御サブシェルフ、およびトランスポンダシェルフの３階層のツリー構成は、実施の形態１の図２で示す構成と同様であるため、説明を省略する。図８は、実施の形態２の装置内中央制御サブシェルフ３１における監視制御部３２の構成を示す図である。図４と同一の符号を付したものは同一の構成を示すため、説明を省略する。優先度判定機能部３３は、通知に設定された優先度を判定する機能を有する。
【００２９】
次に動作について説明する。図９は、実施の形態２の装置内監視制御を示すシーケンス図である。図１０は、前記装置内監視制御における装置内中央制御サブシェルフ３１の監視制御部３２の動作を示したフローチャートを示す。
【００３０】
図９において、トランスポンダシェルフ６の監視制御部１１は、装置制御機能部２６の判断した自シェルフの状態に基づき警報等が発生した際、メッセージ制御機能部２５は、発行する監視情報の通知に優先度を設定する。優先度は、原因警報などのリアルタイム性を必要とする通知を高優先、性能情報や各機能部のソフトウェアダウンロードデータなどのある程度の遅延時間を許容できる通知を低優先とする。低優先監視情報である低優先通知ｑ１−１、高優先監視情報である高優先通知ｑ１−２は、シェルフ間通信制御機能部２２により、装置内中央制御サブシェルフ３１へ任意のタイミングで送信される。
【００３１】
装置内中央制御サブシェルフ３１は、トランスポンダシェルフ６から通知ｑ１−１またはｑ１−２を受信すると、高優先通知ｑ１−２は、そのまま装置内中央制御メインシェルフ４へ送信し、低優先通知ｑ１−１は、通知情報として自シェルフ内に格納する。そして、装置内中央制御メインシェルフ４からの通知要求メッセージｐ２を受信すると、格納した通知ｑ１−１の集約通知情報である応答メッセージｐ３を、装置内中央制御メインシェルフ４へ送信する。
【００３２】
この装置内中央制御サブシェルフ３１の動作の詳細を、図１０を参照し説明する。図１０において、装置内中央制御サブシェルフ３１の監視制御部３２は、シェルフ間通信制御機能部２２により低優先通知ｑ１−１または高優先通知ｑ１−２を受信すると（ステップＳ９１のＹｅｓ）、優先度判定機能部２２により、受信した通知に設定されている優先度を判断し、判断した優先度をもとに通知の振り分けを行う（ステップＳ９２）。優先度が低いと判断した低優先通知ｑ１−１を受信した場合（ステップＳ９２のＹｅｓ）、受信した通知ｑ１−１を通知情報としてメッセージ制御機能部２５へ格納する（ステップＳ９３）。トランスポンダ６から通知を受信していない場合は（ステップＳ９１のＮｏ）、ステップＳ９２、Ｓ９３の処理は行わない。
【００３３】
次に、シェルフ間通信制御機能部２２により、装置内中央制御メインシェルフ４から通知取得要求メッセージｐ２を受け取ると（ステップＳ９４のＹｅｓ）、メッセージ制御機能部２５により、保持している通知情報から集約通知情報を生成し、この集約通知情報に自シェルフＩＤを設定する（ステップＳ９５）。前記集約通知情報の生成後、メッセージ制御機能部２５は、集約通知情報の生成に使用した通知情報を削除する（ステップＳ９６）。生成された集約通知情報は、シェルフ間通信制御機能部２２が、応答メッセージｐ３として装置内中央制御メインシェルフ４へ送信する（ステップＳ９７）。
【００３４】
一方、優先度が高いと判断した高優先度通知ｑ１−２を受信した場合（ステップＳ９２のＮｏ）、必要以上の遅延時間を許容しないため、メッセージ制御機能部２５で集約することなく、シェルフ間通信制御機能部２２がそのまま装置内中央制御メインシェルフ４へ送信する（ステップＳ９７）。
【００３５】
図９に戻り、装置内中央制御メインシェルフ４の監視制御部７は、メッセージ制御部２５により、通知取得要求メッセージｐ２を発行し、シェルフ間通信制御機能部２２により、自シェルフに接続される複数の装置内中央制御サブシェルフ３１に対して、当該通知取得要求メッセージｐ２を周期的に送信する。また、シェルフ間通信制御機能部２２により、前記通知取得要求メッセージｐ２に応答した応答メッセージｐ３（集約通知情報）を、装置内中央制御サブシェルフ３１から受信して、集約通知情報をメッセージ制御機能部２５へ格納する。
【００３６】
装置内中央制御メインシェルフ４は、通知取得要求メッセージｐ２の送信にかかわらず、装置内中央制御サブシェルフから送信される高優先通知ｑ１−２を受信し、メッセージ制御機能部２５へ格納する。
【００３７】
監視制御装置１は、実施の形態１と同様に、監視情報の取得のために設定されている周期間隔で、自装置の監視対象である光伝送装置２へ取得要求メッセージｐ５を送信する。光伝送装置２では、装置内中央制御メインシェルフ４の監視制御部７が、Ops-NE間通信制御機能部２１により、監視制御装置１からの通知取得要求メッセージｐ５を受信する。そして、メッセージ制御機能部２５により、保持する装置内中央制御サブシェルフ５からの集約通知情報および高優先通知に自シェルフのシェルフＩＤを設定し、応答メッセージｐ６として監視制御装置１へ送信する。
【００３８】
トランスポンダシェルフ６からの低優先の通知は、高優先の通知に比べて発行される数が多い。したがって、以上のように低優先通知を装置内中央制御サブシェルフ３１で集約することは、装置内中央制御メインシェルフ４の負荷を低減することに大きく寄与する。また、リアルタイム性の高い高優先通知を、装置名中央制御サブシェルフ３１が集約しないでそのまま装置内中央制御メインシェルフ４へ送信することで、リアルタイム性を有する情報を即座にユーザへ提供することが可能になる。
【００３９】
実施の形態３．
以下、この発明の実施の形態３を図に基づいて説明する。本発明の光伝送装置を含む光伝送システムの全体構成は、実施の形態１の図１で示す構成と同様であり、また、光伝送装置内における装置内中央制御メインシェルフ、装置内中央制御サブシェルフ、およびトランスポンダシェルフの３階層のツリー構成は、実施の形態１の図２で示す構成と同様であるため、説明を省略する。図１１は、実施の形態３の装置内中央制御メインシェルフ４１における監視制御部４２の構成を示す図である。図３と同一の符号を付したものは同一の構成を示すため、説明を省略する。通知取得要求メッセージ送信制御機能部（要求メッセージ制御機能部）４３は、装置内中央制御サブシェルフ５へ送信する取得要求メッセージの送信時間間隔を制御する機能を有し、取得要求メッセージの送信時間間隔の最小値と最大値を、あらかじめ設定する。最小値は、送信時間間隔の１ステップ分とする。
【００４０】
次に動作について説明する。図１０は、前記装置内監視制御における装置内中央制御メインシェルフ４１の監視制御部４２の動作を示したフローチャートを示す。図において、装置内中央制御メインシェルフ４１の監視制御部４２は、シェルフ間通信制御機能部２２により、装置内中央制御サブシェルフ５から通知取得応答を受信すると（ステップＳ１２１のＹｅｓ）、受信した通知取得応答の内容を判断する（ステップＳ１２２）。受信した通知取得応答に通知情報が含まれておらず空だった場合（ステップＳ１２２のＹｅｓ）、通知取得要求メッセージ送信制御機能部４３は、保持する取得要求メッセージ時間間隔が最大値に設定されているかを確認する（ステップＳ１２４）。最大値が設定されていない場合（ステップＳ１２４のＮｏ）、通知取得要求メッセージ送信制御機能部４３は、設定されている取得要求メッセージ時間間隔に１ステップ分加算した値を、以降の取得要求メッセージ時間間隔として設定する（ステップＳ１２５）。最大値が設定されている場合、通知取得要求メッセージ送信制御機能部４３は、現在の取得要求メッセージ時間間隔を保持し（ステップＳ１２６）、以降、設定した時間間隔に基づいて、装置内中央制御メインシェルフ４１から装置内中央制御サブシェルフ５へ、通知取得要求メッセージを送信する。
【００４１】
一方、ステップＳ１２２において、受信した通知取得応答に通知情報が含まれていて空ではなかった場合（ステップＳ１２２のＮｏ）、通知取得要求メッセージ送信制御機能部４３は、保持する取得要求メッセージ時間間隔を最小値に設定する（ステップＳ１２３）。以降、設定した時間間隔に基づいて、装置内中央制御メインシェルフ４１から装置内中央制御サブシェルフ５へ、通知取得要求メッセージを送信する。取得要求メッセージ時間間隔は、受信した通知取得応答の内容に基づき、当該通知取得応答の送信元の装置内中央制御サブシェルフ毎に設定可能に構成する。トランスポンダシェルフと装置内中央制御サブシェルフ間の通信、装置内中央制御サブシェルフから装置内中央制御メインシェルフ４１への通信については、実施の形態１または実施の形態２と同様であるため、説明を省略する。
【００４２】
以上のように、通知取得要求メッセージ送信時間間隔を受信した通知取得応答が空だった場合に段階的に増加させることで、装置内中央制御メインシェルフ４１は、下位シェルフである装置内中央制御サブシェルフの負荷状況に合わせた通知取得が可能となる。装置内中央制御メインシェルフ４１は、取得可能な通知のない場合の、余計な通知要求メッセージ送信が削減され、各シェルフの処理負荷を低減することができる。
【００４３】
尚、上記では、装置内中央制御サブシェルフ５は、通知取得要求メッセージの受信に基づき、通知取得応答として監視情報を送信するが、別の例として、通知取得要求メッセージにより指定される送信時間間隔に基づき、監視情報を送信する構成がある。この場合は、送信時間間隔を変更しない場合に、装置内中央制御メインシェルフ４１は、通知取得要求メッセージを送信しないので、処理負荷が低減される。
【符号の説明】
【００４４】
１  監視制御装置
２  光伝送装置
３  回線
４  装置内中央制御メインシェルフ
５  装置内中央制御サブシェルフ
６  トランスポンダシェルフ
７  監視制御部（第１監視制御部）
１０  監視制御部（第２監視制御部）
１１  監視制御部（第３監視制御部）
２１  Ops-NE間通信制御機能部
２２  シェルフ間通信制御機能部
２５  メッセージ制御機能部
３１  装置内中央制御サブシェルフ
３２  監視制御部（第２監視制御部）
３３  優先度判定機能部
４１  装置内中央制御メインシェルフ
４２  監視制御部（第１監視制御部）
４３  通知取得要求メッセージ送信制御機能部（要求メッセージ制御機能部）
【図１】
2014082719.tif 000003
【図２】
2014082719.tif 000004
【図３】
2014082719.tif 000005
【図４】
2014082719.tif 000006
【図５】
2014082719.tif 000007
【図６】
2014082719.tif 000008
【図７】
2014082719.tif 000009
【図８】
2014082719.tif 000010
【図９】
2014082719.tif 000011
【図１０】
2014082719.tif 000012
【図１１】
2014082719.tif 000013
【図１２】
2014082719.tif 000014